(57)【要約】  【課題】  ノート型パソコンのバームレスト部を保護するバームレストカバーを提供する。  【解決手段】  本考案のバームレストカバー１は、上面部５、正面部６、右側面部７、左側面部８から成り、上面部５には、切取り部２、切取り部３、切取り部４が設けられている。材質的には、３層構造になっており、シート、アルミニウム板、シリコンゴムの順に重ねた構造になっている。シートは、個人の好みに合わせて取り替えることもできる。【選択図】      図１
0003103983.tif 000002
【実用新案登録請求の範囲】
【請求項１】
ノート型パソコンのバームレスト部を覆うバームレストカバーにおいて、前記バームレストカバーは、アルミニウム板と、前記アルミニウム板の下面を被覆したシリコンゴム層と、前記アルミニウム板の上面に貼付されたシートから構成されたことを特徴とするバームレストカバー。
【請求項２】
前記シートは、前記アルミニウム板から剥離可能であることを特徴とする請求項１に記載のバームレストカバー。
【請求項３】
前記シートの材質は革であることを特徴とする請求項１及び請求項２に記載のバームレストカバー。
【請求項４】
アルミニウム板をプラスチック板に置き換えたことを特徴とする請求項１乃至請求項３に記載のバームレストカバー。
【考案の詳細な説明】
【技術分野】
【０００１】
本考案は、ノート型パソコンを覆うカバーに関するもので、特にバームレスト部を覆うバームレストカバーに関する。
【背景技術】
【０００２】
ノート型パソコンを操作するに当たって、ノート型パソコンのキーボードを打つ時、トラックパッド部（「トラックパッド部」とは、図６中の参照番号２１の部分をいい、通常ノート型パソコンのキーボード部の手前に配置され、かつ、指をその面に接触させて動かしたときにノート型パソコンの表示部中にあるマウスポインターを指の動きに連動して動かせる機能を有する部分をいう。）を操作する時等、腕がバームレスト部に頻繁に触れる。このため、ノート型パソコンのバームレスト部の塗装が剥げる等の問題が多かった。なお、バームレスト部とは、図６中の参照番号１１の部分を指し、ノート型パソコンのキーボード部２０の手前にある部分をいう。図６においては、バームレスト部１１中に、トラックパッド部２１、ボタン部２２、留め金部２３を含んでいる。
【０００３】
更に図７を使って、ノート型パソコンのバームレスト部の構造について説明する。図７は、ノート型パソコンのバームレスト部１１を示す図である。バームレスト部１１は、上面部１５、正面部１６、右側面部１７、左側面部１８から成る。上面部１５中の切取り部１２は、ノート型パソコンのトラックパッド部２１に対応し、切取り部１３は、ノート型パソコンのボタン部２２に対応し、切取り部１４は、ノート型パソコンの留め金部２３に対応する。上面部１５中の切取り部１２、切取り部１３、切取り部１４の形状は、それぞれノート型パソコンのトラックパッド部２１、ボタン部２２、留め金部２３の形状に合わせて切断される。
【０００４】
特許文献１において、ノート型パソコンの保護カバーが開示されている。ここで開示されている保護カバーは、ノート型パソコンを使用しないときにキーボードやバームレスト部にカバーを被せ、ほこりが入り込むことを防止し、ノート型パソコンを使用するときには、カバーを外す方式の保護カバーである。
【特許文献１】特開平１０−１９０２５３
【考案の開示】
【考案が解決しようとする課題】
【０００５】
しかしながら、ノート型パソコンを使用しているときに、手の平がバームレスト部に接触し、バームレスト部の塗装が剥げることを特許文献１に開示された保護カバーでは防止できない。したがって、ノート型パソコンを使用しているときに、手の平がバームレスト部に接触してバームレスト部が剥げるのを防止する必要がある。また、中古のパソコン等既にバームレスト部の塗装が剥げている場合でも美感を与えるノート型パソコンを提供する必要がある。
【０００６】
上記のような課題に鑑みて、本考案は、バームレスト部を保護し、又は、バームレスト部に美感を与えるバームレストカバーを提供することを目的とする。
【課題を解決するための手段】
【０００７】
第１の考案は、ノート型パソコンのバームレスト部を覆うバームレストカバーにおいて、カバーは、アルミニウム板と、前記アルミニウム板の下面を被覆したシリコンゴム層と、前記アルミニウム板の上面に貼付されたシート部から構成されたことを特徴とする。
【０００８】
第２の考案は、シートが、アルミニウム板から剥離可能であることを特徴とする。
【０００９】
第３の考案は、シートの材質は革製であることを特徴とする。
【００１０】
第４の考案は、ノート型パソコンのバームレスト部を覆うバームレストカバーのアルミニウム板をプラスチック板に置き換えたことを特徴とする。
【考案の効果】
【００１１】
第１の考案のバームレストカバーによれば、ノート型パソコンのバームレスト部が傷付かないように保護することができる。また、アルミニウム板を備えているので、重量も軽く、加工も容易であるので製造も容易である。また、アルミニウム板の下面を被覆したシリコンゴム層があるので、本考案のバームレストカバーをノート型パソコンのバームレスト部に被せても本考案によって、バームレスト部が傷付くこともないし、バームレストカバーのすべり止めにもなる。
【００１２】
第２の考案のバームレストカバーによれば、シートがアルミニウム板から剥離可能であるので、アルミニウム板の上面に、好みに合わせたいろいろなタイプのシートを貼ることができ、バームレスト部に美感を与えることができる。
【００１３】
第３の考案のバームレストカバーによれば、ノート型パソコンのトラックパッド部とボタン部に相当する部分を切り取った革でできたシートを貼付してあるので、ノートパソコンを操作する時に、心地の良い手触りを得ることができる。
【００１４】
第４の考案のバームレストカバーによれば、バームレストカバーのアルミニウム板をプラスチック板に置き換えたので、加工が容易で変形しにくいバームレストカバーを得ることができる。
【考案を実施するための最良の形態】
【００１５】
以下、本考案の実施形態について図面を参照しながら説明する。図１は、本考案のバームレストカバー１の全体図を示しており、上面部５、正面部６、右側面部７、左側面部８から成る。図１の上面部５中の切取り部２、切取り部３、切取り部４は、それぞれ図６、図７の上面部１５中の切取り部１２、切取り部１３、切取り部１４とほぼ同じ大きさの形状になっている。本考案のバームレストカバー１の全体的な形状は、バームレスト部１１の外形よりわずかに大きく形成され、バームレスト部１１に被せるようになっている。つまり、図１中のＡＢ（又は、ＤＣ）の長さ及びＡＤ（又は、ＢＣ）は、それぞれ図７中のａｂ（又は、ｄｃ）の長さ及びａｄ（又は、ｂｃ）よりわずかに長くしておき、図１中のＡＥ、ＢＦ、ＣＧ、ＤＨの長さは、それぞれ図７中のａｅ、ｂｆ、ｃｇ、ｄｈとほぼ同じくらいか又は、短くなっている。
【００１６】
ノート型パソコンを操作する時に一番傷付いたり、塗装が剥げたりするのは、バームレスト部１１中の上面部１５であるから本考案のバームレストカバー１において、上面部５は、本発明において、必須の部分であるが、他の正面部６、右側面部７、左側面部８は場合によっては、なくても良い部分である。すなわち、本考案のバームレストカバーは、上面部５のみから成る場合や上面部５、正面部６のみから成る場合もあれば、上面部５、右側面部７、左側面部８のみから成る場合もある。
【００１７】
上面部５のみから成る場合、上面部５、正面部６のみから成る場合、上面部５、右側面部７、左側面部８のみから成る場合のそれぞれの利点は、次のようなところにある。上面部５のみから成る本考案のバームレストカバーは、シンプルな構造でバームレスト部１１中の上面部１５を保護できる。図２に示す上面部５、正面部６のみから成る本考案のバームレストカバーは、上面部１５を保護できると同時にバームレスト部中の正面部１６も保護できる。また、正面部１６がストッパーの役割をし、本考案のバームレストカバーが滑ってキボード部２０と接触することを防ぐことができる。図３に示す上面部５、右側面部７、左側面部８のみから成る本考案のバームレストカバーは、上面部１５を保護できると同時にバームレスト部１１中の右測面部１７、左測面部１８も保護できる。また、右測面部７、左測面部８がストッパーの役割をし、本考案のバームレストカバーが横に滑ることを防ぐことができる。
【００１８】
図４は、図６、図７に示すノート型パソコンのバームレスト部１１に本考案のバームレストカバー１を被せた図である。本考案のバームレストカバー１の上面部５、正面部６、右側面部７、左側面部８は、それぞれノート型パソコンのバームレスト部１１の上面部１５、正面部１６、右側面部１７、左側面部１８を覆うような形状になっている。そして、バームレストカバー１の切取り部２、切取り部３、切取り部４は、ノート型パソコンのトラックパッド部２１、ボタン部２２、留め金部２３に、それぞれ位置的に対応している。
【００１９】
なお、本考案のバームレストカバー１の形状、大きさは、バームレスト部１１の形状に依存するので、ノート型パソコンを製造する各メーカー毎のノート型パソコンによって、違ったものになる。つまり、ノート型パソコンのトラックパッド部とボタン部、留め金部は、図４に示すような形状と異なる場合があるが、その場合でもノート型パソコンを製造するメーカーの製品に合わせて、切取り部２、３、４の形状を変えることによって種々のノート型パソコンに対応できるバームレストカバーを提供できる。また、図６では、キーボード部２０とバームレスト部１１の境界が一直線上になっているが、ノート型パソコンを製造するメーカーの製品によっては、キーボード部２０とバームレスト部１１の境界が一直線上になっていない場合もあり、その場合は、キーボード部２０とバームレスト部１１の境界の形状に合わせて、本考案のバームレストカバー１の形状を変えることによって種々のノート型パソコンに対応できるバームレストカバーを提供できる。
【００２０】
図５は、図２のI―I端面図であり、本考案のバームレストカバー１の材質的な断面構造を示している。図５は、バームレストカバーの構成を示すためだけのものであり、縦横の縮尺は実際の寸法とは異なる。本考案のバームレストカバー１は、３層構造になっており、１ａ層は、シリコンゴムの層で構成され、１ｂ層は、アルミニウム板で構成され、１ｃ層は、革製のシートで構成されている。１ａ層のシリコンゴム層は、本考案のバームレストカバー１をノート型パソコンのバームレスト部１１に被せた時に、本考案のバームレストカバー１が動かないようにするすべり止めの役割を果たす。また、シリコンゴムは、柔らかいため、本考案のバームレストカバー１を滑らせてもバームレスト部１１の表面を傷つけない。１ｂ層は、アルミニウム板であるが肉厚は、０．３ミリメートル程度が好ましい。これ以下であると、変形しやすいし、これ以上であるとノート型パソコンのディスプレイ部を閉じる時に、本考案のバームレストカバー１の厚さが厚すぎて、閉まらなくなるからである。１ｃ層は、革のシートであるが、革は、触り心地よく、手に馴染みやすいのでシートとして最適である。しかし、シートについては、個人の好みによって、フェルト製のシートを貼ってもよいし、ゴムやビニール製のシートを貼っても良い。
【００２１】
１ｂ層のアルミニウム板と１ｃ層のシートを貼付け方は、強力な接着剤で取れないようにしても良いが、本考案のバームレストカバー１のアルミニウム板の上面と１ｃ層のシートの下面の間に剥離可能な接着シールを挟んで、１ｂ層のアルミニウム板に１ｃ層のシートを貼付けても良い。こうすれば、アルミニウム板の上面に、好みに合わせたいろいろなタイプのシートを貼ることができ、外観上、個性に富んだノート型パソコンを提供することができる。
【００２２】
１ｂ層は、アルミニウム板の代わりにプラスチック板としても良い。プラスチック板にすれば、加工が容易で変形しにくいバームレストカバーを得ることができる。
【図面の簡単な説明】
【００２３】
【図１】本考案のバームレストカバーの全体図である。
【図２】上面部、正面部のみから成る本考案のバームレストカバーを示す図である。
【図３】上面部、右側面部、左側面部のみから成る本考案のバームレストカバーを示す図である。
【図４】本考案のバームレストカバーをノート型パソコンのバームレスト部に被せた様子を示す図である。
【図５】図２においてI―I線で切断したバームレストカバーの端面図である。
【図６】ノート型パソコンのバームレスト部付近の一例を示す図である。
【図７】ノート型パソコンのバームレスト部の一例を示す図である。
【符号の説明】
【００２４】
１  バームレストカバー
２、３、４、１２、１３、１４  切取り部
５、１５  上面部
６、１６  正面部
７、１７  右側面部
８、１８  左側面部
１１  バームレスト部
２０  キーボード部
２１  トラックパッド部
２２  ボタン部
２３  留め金部
【図１】
0003103983.tif 000003
【図２】
0003103983.tif 000004
【図３】
0003103983.tif 000005
【図４】
0003103983.tif 000006
【図５】
0003103983.tif 000007
【図６】
0003103983.tif 000008
【図７】
0003103983.tif 000009